(57)【要約】      （修正有）【課題】ピンチを使わずに、洗濯物を干すことができる物干しハンガを提供する。【解決手段】物干しハンガは、洗濯物が掛けられ、一対の縦枠１１と、一対の縦枠１１に接続された横枠１２と、を有する枠１０と、縦枠１１に基端が接続され、棒状に形成された腕部２０と、を備える。腕部２０は、一方又は他方の縦枠１１に基端が接続され、他方又は一方の縦枠１１の方向に延び、先端側から、洗濯物に挿入される。これにより、洗濯物を干す使用者は、例えば、物干し竿に枠を吊るし、この状態で、腕部に洗濯物を挿入するだけで、洗濯物を干すことができる。【選択図】図２
0003192013.tif 000002
【実用新案登録請求の範囲】
【請求項１】
洗濯物が掛けられる物干しハンガであって、
一対の縦枠と、一対の前記縦枠に接続された横枠と、を有する枠と、
前記縦枠に基端が接続され、棒状に形成された腕部と、を備え、
前記腕部は、
一方又は他方の前記縦枠に基端が接続され、他方又は一方の前記縦枠の方向に延び、
先端側から、前記洗濯物に挿入される物干しハンガ。
【請求項２】
前記横枠は、
左端が一方の前記縦枠に接続された左部と、
左端が前記左部の右端に接続され、右端が他方の前記縦枠に接続された右部と、を有し、
前記右部は、前記左部に対して下方に回動可能に接続されている請求項１に記載の物干しハンガ。
【請求項３】
前記腕部は、基端が前記縦枠に対して上方に回動可能に接続され、先端側が基端側に対して上方又は下方に回動可能である第１腕部を含む請求項１又は２に記載の物干しハンガ。
【請求項４】
前記腕部は、弾性変形可能な部材で形成され、互いに近接して平行に延びる一対の棒状体を有する第２腕部を含む請求項１から３のいずれかに記載の物干しハンガ。
【請求項５】
前記腕部は、一対の前記縦枠の間隔の半分の寸法よりも短く形成された一対の第３腕部を含み、
一対の前記第３腕部は、一方の基端が一方の前記縦枠に接続され、他方の基端が他方の前記縦枠に接続され、先端が互いに対向する請求項１から４のいずれかに記載の物干しハンガ。
【考案の詳細な説明】
【技術分野】
【０００１】
本考案は、物干しハンガに関し、特に、洗濯物が掛けられる物干しハンガに関する。
【背景技術】
【０００２】
従来、洗濯物のうち、靴下、パンツ、ハンカチ、タオル、シャツ等の小物は、物干し竿に掛けられる物干しハンガに取り付けられ、干される。
このような物干しハンガとして、外枠と内枠にピンチを取り付け、このピンチで洗濯物を挟む物干しハンガが提案されている（特許文献１参照）。
【先行技術文献】
【特許文献】
【０００３】
【特許文献１】特開２０１４−６４８６２号公報
【考案の概要】
【考案が解決しようとする課題】
【０００４】
しかしながら、特許文献１の物干しハンガに洗濯物を干す場合、洗濯物を干す使用者は、一方の手でピンチの一端を摘まみ他端を開き、この開いた他端の間に洗濯物を挿入し、一方の手を離すことで、洗濯物をピンチに挟持させる。このような作業は、靴下、パンツ、ハンカチ、タオル、シャツ等の小物に対し一つずつ行う必要があり、使用者の作業負担を増加させている。
【０００５】
本考案は、ピンチを使わずに、洗濯物を干すことができる物干しハンガを提供することを目的とする。
【課題を解決するための手段】
【０００６】
（１）  洗濯物が掛けられる物干しハンガであって、
一対の縦枠と、一対の前記縦枠に接続された横枠と、を有する枠と、
前記縦枠に基端が接続され、棒状に形成された腕部と、を備え、
前記腕部は、
一方又は他方の前記縦枠に基端が接続され、他方又は一方の前記縦枠の方向に延び、
先端側から、前記洗濯物に挿入される物干しハンガ。
【０００７】
（１）の構成によれば、物干しハンガは、洗濯物が掛けられ、枠と、腕部と、を備える。
枠は、一対の縦枠と、一対の縦枠に接続された一対の横枠と、を有する。
腕部は、一方又は他方の縦枠に基端が接続され、他方又は一方の縦枠の方向に延びる。
そして、腕部には、先端側から、洗濯物に挿入される。
【０００８】
これにより、洗濯物を干す使用者は、例えば、物干し竿に枠を吊るし、この状態で、腕部に洗濯物を挿入する。具体的には、例えば洗濯物が靴下であれば、洗濯物を干す使用者は、当該靴下を足の挿入口から腕部に挿入するだけで、ピンチを使うことなく、当該靴下を干すことができる。
したがって、ピンチを使わずに、洗濯物を干すことができる物干しハンガを提供できる。
【０００９】
（２）  前記横枠は、
左端が一方の前記縦枠に接続された左部と、
左端が前記左部の右端に接続され、右端が他方の前記縦枠に接続された右部と、を有し、
前記右部は、前記左部に対して下方に回動可能に接続されている（１）に記載の物干しハンガ。
【００１０】
（２）の構成によれば、横枠は、左部と、右部と、を有する。
左部は、左端が一方の縦枠に接続されている。
右部は、左端が左部の右端に接続され、右端が他方の前記縦枠に接続されている。
そして、右部は、左部に対して下方に回動可能に接続されている。
【００１１】
ここで、従来のピンチで洗濯物を挟持する物干しハンガから、乾燥した洗濯物を取り込む場合、使用者は、洗濯物を挟持するピンチの一端を摘まみ他端を開き、ピンチに挟持された洗濯物を取り外す。使用者は、例えば、１０個のピンチに洗濯物が挟持されていれば、上記作業を１０回繰り返す必要がある。
【００１２】
（２）の発明によれば、乾燥した洗濯物を取り込む場合、使用者は、腕部に洗濯物を挿入し乾燥させた後に、例えば、物干し竿から枠を外し、横枠の右部を左部に対して下方に回動させ、腕部の先端側を下方に向ける。すると、重力により、腕部に挿入されていた洗濯物が下方に落下する。この場合、例えば、１０箇所の腕部に洗濯物が挿入されていたとしても、腕部の先端側を下方に向けるだけで、全ての洗濯物を取り外すことができる。
したがって、ピンチを使わずに、洗濯物を干すことができるとともに、乾燥した洗濯物を容易に取り込むことができる物干しハンガを提供できる。
【００１３】
（３）  前記腕部は、基端が前記縦枠に対して上方に回動可能に接続され、先端側が基端側に対して上方又は下方に回動可能である第１腕部を含む（１）又は（２）に記載の物干しハンガ。
【００１４】
（３）の構成によれば、第１腕部に洗濯物を挿入してから、第１腕部を上方に回動させ、第１腕部を立てることで、腕部を水平に配置している場合に比べ、腕部に挿入された洗濯物に日光や風を当て易くできる。これにより、例えば、洗濯物が厚手の生地で形成されている場合に、腕部を上方に回動させることで、この洗濯物が乾燥し易くなる。
また、第１腕部に洗濯物を挿入してから、第１腕部の先端側を回動させることで、この先端側が洗濯物に引っ掛かり、洗濯物が風等により腕部から外れるのを防止できる。
【００１５】
（４）  前記腕部は、弾性変形可能な部材で形成され、互いに近接して平行に延びる一対の棒状体を有する第２腕部を含む（１）から（３）のいずれかに記載の物干しハンガ。
【００１６】
（４）の構成によれば、第２腕部の先端側から、一対の棒状体の間に洗濯物を挿入することで、第２腕部で洗濯物を挟持できる。
これにより、例えば、洗濯物が、穴のない平面形状に形成されたハンカチやタオル等の場合、使用者は、タオル等の端部を、第２腕部の先端側から一対の棒状体の間に挿入するだけで、タオル等を第２腕部に取り付けることができる。
したがって、洗濯物が穴のない平面形状に形成されていても、ピンチを使わずに、洗濯物を干すことができる物干しハンガを提供できる。
【００１７】
（５）  前記腕部は、一対の前記縦枠の間隔の半分の寸法よりも短く形成された一対の第３腕部を含み、
一対の前記第３腕部は、一方の基端が一方の前記縦枠に接続され、他方の基端が他方の前記縦枠に接続され、先端が互いに対向する（１）から（４）のいずれかに記載の物干しハンガ。
【００１８】
（５）の構成によれば、先端が互いに対向する一対の第３腕部に、洗濯物を挿入するだけで、ピンチを使うことなく、洗濯物を干すことができる。
これにより、例えば、洗濯物が、シャツのように、左右に穴を有する場合、使用者は、この左右の穴に一対の第３腕部を夫々挿入するだけで、シャツを広げた状態で第３腕部に取り付けることができる。
したがって、洗濯物がシャツであっても、その他のハンガ等やピンチを使わずに、洗濯物を干すことができる物干しハンガを提供できる。
【考案の効果】
【００１９】
本考案によれば、ピンチを使わずに、洗濯物を干すことができる物干しハンガを提供できる。
【図面の簡単な説明】
【００２０】
【図１】本考案の実施形態に係る物干しハンガ１００の斜視図である。
【図２】前記実施形態に係る物干し部１の平面図である。
【図３】前記実施形態に係る物干し部１を側面から視た図である。図３（ａ）は、左部１２１と右部１２２とが同一線上に配置された状態（物干し部１を展開した状態）を示している。図３（ｂ）は、左部１２１と右部１２２とを重ねた状態（物干し部１を畳んだ状態）を示している。
【図４】前記実施形態に係る第１腕部２１の動作を説明する図である。図４（ａ）は、基端部２１１と先端部２１２とが同一線上に配置された状態を示している。図４（ｂ）は、先端部２１２を基端部２１１に対して上方に回動させた状態を示している。図４（ｃ）は、先端部２１２を基端部２１１に対して下方に回動させた後に、基端部２１１を縦枠１１に対して上方に回動させた状態を示している。
【図５】前記実施形態に係る物干しハンガ１００の使用状態を示す図である。
【図６】前記実施形態に係る物干し部１を、図１に示す態様とは異なる態様で吊り下げた状態を示す図である。
【図７】前記実施形態に係る物干し部１の畳んだ状態を示す図である。
【考案を実施するための形態】
【００２１】
本考案の実施形態に係る物干しハンガ１００の構成を図面に基づいて説明する。
以下の実施形態の説明において、同一の構成には、同一の符号を付し、その説明を省略又は簡略化する。
図１は、本考案の実施形態に係る物干しハンガ１００の斜視図である。
物干しハンガ１００は、洗濯物（例えば、靴下５０、ハンカチ５１、シャツ５２等）が掛けられる物干し部１と、物干し部１を物干し竿６に吊るす吊り部２と、を備える。
【００２２】
図２は、前記実施形態に係る物干し部１の平面図である。
物干し部１は、枠１０と、腕部２０と、吊り輪部３０（図３参照）と、を備える。
枠１０は、棒状体が環状に形成され、平面視における外形が略四角形状に形成され、互いに対向する一対の縦枠１１と、一対の縦枠１１の両端に夫々接続され、互いに対向する一対の横枠１２と、を有する。
【００２３】
一対の横枠１２は、夫々、図２中左側に配置された左部１２１と、図２中右側に配置された右部１２２と、左部１２１と右部１２２とを回動自在に接続するヒンジ部１２３（図３参照）と、を有する。
左部１２１は、左端が一方（図２中左側）の縦枠１１に接続されている。
右部１２２は、左端が左部１２１の右端に接続され、右端が他方（図２中右側）の縦枠１１に接続されている。
【００２４】
図３は、前記実施形態に係る物干し部１を側面から視た図である。図３（ａ）は、左部１２１と右部１２２とが同一線上に配置された状態（物干し部１を展開した状態）を示している。図３（ｂ）は、左部１２１と右部１２２とを重ねた状態（物干し部１を畳んだ状態）を示している。
ヒンジ部１２３は、ヒンジで構成され、左部１２１の右端と、右部１２２の左端とが接続され、左部１２１の右端と右部１２２の左端とを互いに連結する。
即ち、右部１２２は、ヒンジ部１２３を介して、左部１２１に対して下方に回動可能に接続されている。
これにより、使用者は、図３（ａ）に示す状態（物干し部１を展開した状態）から、左部１２１に対して右部１２２を下方に向かって１８０度回動させ、左部１２１と右部１２２とを重ねことで、図３（ｂ）に示す状態（物干し部１を畳んだ状態）とすることができる。
【００２５】
なお、枠１０は、平面視における外形が略四角形状に限らず、縦枠に相当する互いに対向する一対の辺を有し、この辺を接続する横枠に相当する部材を備えれば、平面視における外形が楕円形状や６角形状等の任意の形状とすることができる。また、横枠は、一対で縦枠の両端を接続する態様に限らず、例えば、一対で縦枠の中央部分を１つの部材で接続する態様であってもよい。
【００２６】
図２に戻って、腕部２０は、一方（図２中左側）又は他方（図２中右側）の縦枠１１に基端が接続され、他方（図２中右側）又は一方（図２中左側）の縦枠１１の方向に延びて、先端側から、洗濯物に挿入される。
腕部２０は、第１腕部２１と、第２腕部２２と、第３腕部２３と、を備える。
【００２７】
第１腕部２１は、一対の縦枠１１の間隔より短い寸法であり、当該間隔を半分にした寸法よりも長い寸法で形成されている。また、第１腕部２１は、左側の縦枠１１に基端が接続され右側の縦枠１１の方向に延びるものと、右側の縦枠１１に基端が接続され左側の縦枠１１の方向に延びるものと、が交互に所定間隔で配置されている。
第１腕部２１は、基端が縦枠１１に対して上方に回動可能に接続された基端部２１１と、基端部２１１の先端に回動可能に基端が接続された先端部２１２と、を備える。
【００２８】
図４は、前記実施形態に係る第１腕部２１の動作を説明する図である。図４（ａ）は、基端部２１１と先端部２１２とが同一線上に配置された状態を示している。図４（ｂ）は、先端部２１２を基端部２１１に対して上方に回動させた状態を示している。図４（ｃ）は、先端部２１２を基端部２１１に対して下方に回動させた後に、基端部２１１を縦枠１１に対して上方に回動させた状態を示している。
使用者は、例えば、図４に示すように、洗濯物である靴下５０の内部に第１腕部２１を挿入する。これにより、図４（ａ）に示す状態となる。
そして、使用者は、図４（ａ）に示す状態から、先端部２１２を上方に回動させ、図４（ｂ）に示す状態とする。これにより、第１腕部２１を挿入した靴下５０が風により飛ばされるのを防止できる。
また、使用者は、洗濯物である靴下５０の内部に第１腕部２１を挿入し、先端部２１２を下方に回動させてから、基端部２１１を縦枠１１に対して上方に回動させ、図４（ｃ）に示す状態とする。これにより、第１腕部２１を水平に配置している場合に比べ、第１腕部２１に挿入された靴下５０に日光や風を当て易くできる。
【００２９】
図５は、前記実施形態に係る物干しハンガ１００の使用状態を示す図である。
使用者は、例えば、４箇所の第１腕部２１に対し、先端部２１２を下方に回動させてから、基端部２１１を上方に回動させることで、図５に示す状態となる。
この状態においては、使用者は、４箇所の先端部２１２の上に、比較的大きい洗濯物であるバスタオル５３を掛けることができる。このように第１腕部２１を操作することで、物干しハンガ１００は、比較的大きい洗濯物も干すことができる。
【００３０】
図２に戻って、第２腕部２２は、一対の縦枠１１の間隔より短い寸法であり、当該間隔を半分にした寸法よりも長い寸法で形成されている。また、第２腕部２２は、左側の縦枠１１に基端が接続され右側の縦枠１１の方向に延びるものと、右側の縦枠１１に基端が接続され左側の縦枠１１の方向に延びるものと、が交互に所定間隔で配置されている。
第２腕部２２は、弾性変形可能な部材で形成され、互いに近接して平行に延びる一対の棒状体２２１と、一対の棒状体２２１の先端に夫々設けられ、例えば、球形状に形成され、洗濯物を一対の棒状体２２１の間にガイドする一対のガイド部２２２と、を有する。
使用者は、一対のガイド部２２２の間から、例えば、ハンカチ５１（図１参照）を一対の棒状体２２１の間に挿入し、一対の棒状体２２１で当該ハンカチ５１を挟持させる。これにより、図１に示す状態となる。
なお、使用者は、第１腕部２１と同様に、第２腕部２２全体を洗濯物（例えば、靴下）の内部に挿入してもよい。
【００３１】
図２に戻って、第３腕部２３は、一対の縦枠１１の間隔の半分の寸法よりも短く形成されている。
これら一対の第３腕部２３は、一方の基端が左側の縦枠１１に接続され、他方の基端が右側の縦枠１１に接続され、先端が互いに対向して配置されている。
使用者は、例えば、シャツ５２（図１参照）の左側の袖口から一方の第３腕部２３を挿入し、右側の袖口から他方の第３腕部２３を挿入する。これにより、図１に示す状態となる。
【００３２】
なお、本実施形態において、腕部２０は、複数の第１腕部２１と、複数の第２腕部２２と、複数の第３腕部２３と、を備えるが、これに限らず、第１腕部２１、第２腕部２２及び第３腕部２３のいずれかのみで構成してもよいし、これらの任意の組み合わせで、任意の数で構成してもよい。
【００３３】
図１に示すように、吊り輪部３０は、枠１０の４隅において、物干し部１を展開した状態における枠１０の下面に設けられ、シャツ等が掛けられる他のハンガ等を引っ掛けることが可能な環形状に形成されている。
また、図３に示すように、吊り輪部３０は、枠１０に回転自在に取り付けられている。
【００３４】
図１に戻って、吊り部２は、物干し竿６の外周に係止可能なフック形状で形成されている。吊り部２は、２つ設けられている。一方の吊り部２は、枠１０の４隅に接続された４本の紐部３に連結されている。物干し部１は、この一方の吊り部２を物干し竿６に引っ掛け、吊り下げた場合、略水平な状態となる。
他方の吊り部２は、枠１０の横枠１２の中央近傍に設けられている。
なお、吊り部２は、物干し部１を吊すことができれば、任意の形状で、任意の数で設けることができる。
【００３５】
図６は、前記実施形態に係る物干し部１を、図１に示す態様とは異なる態様で吊り下げた状態を示す図である。
物干し部１は、この他方の吊り部２を物干し竿６に引っ掛け、吊り下げられた場合、略垂直な状態となる。
このように、物干しハンガ１００は、例えば、略水平な状態で吊り下げることが困難な場合、他方の吊り部２で吊り下げることで、狭いスペースでも洗濯物を干すことができる。
【００３６】
本実施形態に係る物干しハンガ１００によれば、以下の作用効果を奏する。
洗濯物を干す使用者は、例えば、物干し竿６に枠１０を吊るし、この状態で、腕部２０に洗濯物を挿入する。具体的には、例えば洗濯物が靴下であれば、洗濯物を干す使用者は、当該靴下を足の挿入口から腕部２０に挿入するだけで、ピンチを使うことなく、当該靴下を干すことができる。
したがって、ピンチを使わずに、洗濯物を干すことができる。
【００３７】
図７は、前記実施形態に係る物干し部１の畳んだ状態を示す図である。
使用者は、乾燥した洗濯物を取り込む場合、腕部２０に洗濯物（例えば、靴下５０）を挿入し乾燥させた後に、物干し竿６（図１参照）から物干しハンガ１００を外し、右部１２２を左部１２１に対して下方に回動させ、腕部２０の先端側を下方に向ける。これにより、物干し部１は、図７に示す状態となる。すると、重力により、腕部２０に挿入されていた靴下５０が下方に落下する。
したがって、ピンチを使わずに、洗濯物を干すことができるとともに、乾燥した洗濯物を容易に取り込むことができる。
【００３８】
また、図４に示すように、使用者は、第１腕部２１に洗濯物（例えば、靴下５０）を挿入してから、第１腕部２１を上方に回動させ、第１腕部２１を立てることで、腕部２０を水平に配置している場合に比べ、腕部２０に挿入された洗濯物に日光や風を当て易くできる。これにより、例えば、洗濯物が厚手の生地で形成されている場合に、腕部２０を上方に回動させることで、この洗濯物が乾燥し易くなる。
また、第１腕部２１に洗濯物を挿入してから、第１腕部２１の先端部２１２を回動させることで、この先端部２１２が洗濯物に引っ掛かり、洗濯物が風等により腕部２０から外れるのを防止できる。
【００３９】
また、例えば、洗濯物が、穴のない平面形状に形成されたハンカチやタオル等の場合、図１に示すように、使用者は、タオル等の端部を、第２腕部２２の先端側から一対の棒状体２２１の間に挿入するだけで、タオル等を第２腕部２２に取り付けることができる。
したがって、洗濯物が穴のない平面形状に形成されていても、ピンチを使わずに、洗濯物を干すことができる。
【００４０】
また、先端が互いに対向する一対の第３腕部２３に、洗濯物を挿入するだけで、ピンチを使うことなく、洗濯物を干すことができる。
これにより、図１に示すように、洗濯物が、シャツ５２のように、左右に穴を有する場合、使用者は、この左右の穴に一対の第３腕部２３を夫々挿入するだけで、シャツ５２を広げた状態で第３腕部２３に取り付けることができる。
したがって、洗濯物がシャツであっても、その他のハンガ等やピンチを使わずに、洗濯物を干すことができる。
【００４１】
なお、本考案は前記実施形態に係る物干しハンガ１００は、樹脂、カーボン、金属、木製等の適宜の材料で形成することができる。また、本考案は前記実施形態に限定されるものではなく、本考案の目的を達成できる範囲での変形、改良等は本考案に含まれるものである。
【符号の説明】
【００４２】
１      物干し部
２      吊り部
３      紐部
６      物干し竿
１０    枠
１１    縦枠
１２    横枠
１２１  左部
１２２  右部
１２３  ヒンジ部
２０    腕部
２１    第１腕部
２１１  基端部
２１２  先端部
２２    第２腕部
２２１  棒状体
２２２  ガイド部
２３    第３腕部
３０    輪部
５０    靴下
５１    ハンカチ
５２    シャツ
５３    バスタオル
１００  物干しハンガ
【図１】
0003192013.tif 000003
【図２】
0003192013.tif 000004
【図３】
0003192013.tif 000005
【図４】
0003192013.tif 000006
【図５】
0003192013.tif 000007
【図６】
0003192013.tif 000008
【図７】
0003192013.tif 000009